Podtech/llm-jp-corpus-v4-ja_patent huggingface dataset:
【手続補正書】
【提出日】平成26年1月8日(2014.1.8)
【手続補正１】
【補正対象書類名】明細書
【補正対象項目名】発明の名称
【補正方法】変更
【補正の内容】
【発明の名称】投射型表示装置、立体視用電子機器、及び立体視用メガネ
【手続補正２】
【補正対象書類名】特許請求の範囲
【補正対象項目名】全文
【補正方法】変更
【補正の内容】
【特許請求の範囲】
【請求項１】
右眼用画像および左眼用画像を時分割で投射可能な投射型表示装置であって、
光源と、
第１の色の光を変調する第１のライトバルブと、
第２の色の光を変調する第２のライトバルブと、
前記第１のライトバルブにより変調された第１の色の光と、前記第２のライトバルブにより変調された第２の色の光とを合成するプリズムと、
前記第１のライトバルブ及び前記第２のライトバルブのうちの少なくとも一つと前記プリズムとの間に配置され、入射光の偏光軸を回転させて出射するか回転させずに出射するかを制御可能な偏光回転部と、
前記右眼用画像の表示時と前記左眼用画像の表示時とで前記偏光軸の回転の有無を切り替えるように前記偏光回転部を制御する制御部と、
を備える投射型表示装置。
【請求項２】
開放時に偏光軸が第１方向の光を透過し遮蔽時に前記偏光軸が第１方向の光を遮蔽する右眼用シャッターおよび開放時に偏光軸が第２方向の光を透過し遮蔽時に前記偏光軸が第２方向の光を遮蔽する左眼用シャッターを備える立体視用メガネに対して、前記右眼用シャッターの開放及び遮蔽と、前記左眼用シャッターの開放及び遮蔽とを制御する制御信号を出力する投射型表示装置であって、
前記制御部は、右眼用画像を表示するとき、前記偏光回転部の出射光の偏光軸が前記第１方向となり、左眼用画像を表示するとき、前記偏光回転部の出射光の偏光軸が前記第２方向となるように、前記偏光回転部を制御することを特徴とする請求項１に記載の投射型表示装置。
【請求項３】
前記第１の色は、赤色、緑色、及び青色のいずれかであり、
前記第２の色は前記第１の色と異なり、赤色、緑色、及び青色のいずれかであり、
前記偏光回転部は、緑色の光を出射するライトバルブと前記プリズムとの間に配置されることを特徴とする請求項１又は２に記載の投射型表示装置。
【請求項４】
前記第１の色は、赤色、緑色、及び青色のいずれかであり、
前記第２の色は前記第１の色と異なり、赤色、緑色、及び青色のいずれかであり、
前記第１の色及び前記第２の色のいずれかは緑色であることを特徴とする請求項１又は２に記載の投射型表示装置。
【請求項５】
前記第１方向と前記第２方向とは直交することを特徴とする請求項２に記載の投射型表示装置。
【請求項６】
請求項１乃至５のうちいずれか１項に記載の投射型表示装置と、
開放時に偏光軸が第１方向の光を透過し遮蔽時に光を遮蔽する右眼用シャッターおよび開放時に偏光軸が第２方向の光を透過し遮蔽時に光を遮蔽する左眼用シャッターを備える立体視用メガネと、
を備えることを特徴とする立体視用電子機器。
【請求項７】
開放時に偏光軸が第１方向の光を透過し遮蔽時に光を遮蔽する右眼用シャッターと、
開放時に偏光軸が第２方向の光を透過し遮蔽時に光を遮蔽する左眼用シャッターと、
を備える立体視用メガネ。
【手続補正３】
【補正対象書類名】明細書
【補正対象項目名】０００６
【補正方法】変更
【補正の内容】
【０００６】
本発明の一態様の投射型表示装置は、右眼用画像および左眼用画像を時分割で投射可能な投射型表示装置であって、光源と、第１の色の光を変調する第１のライトバルブと、第２の色の光を変調する第２のライトバルブと、前記第１のライトバルブにより変調された第１の色の光と、前記第２のライトバルブにより変調された第２の色の光とを合成するプリズムと、前記第１のライトバルブ及び前記第２のライトバルブのうちの少なくとも一つと前記プリズムとの間に配置され、入射光の偏光軸を回転させて出射するか回転させずに出射するかを制御可能な偏光回転部と、前記右眼用画像の表示時と前記左眼用画像の表示時とで前記偏光軸の回転の有無を切り替えるように前記偏光回転部を制御する制御部と、を備えることを特徴とする。
上記の本発明にかかる投射型表示装置は、右眼用画像および左眼用画像を時分割で投射可能な装置であって、光源と、複数の色に対応した複数のライトバルブと、前記複数のライトバルブから出射される各色の光を合成するプリズムと、少なくとも一の前記ライトバルブと前記プリズムとの間に設けられ、入射光の偏光軸を回転させて出射するか回転させずに出射するかを制御可能な偏光回転部と、前記右眼用画像の表示時と前記左眼用画像の表示時とで前記偏光軸の回転の有無を切り替えるように前記偏光回転部を制御する制御部とを備える。
【手続補正４】
【補正対象書類名】明細書
【補正対象項目名】０００９
【補正方法】変更
【補正の内容】
【０００９】
上述した投射型表示装置において、前記複数の色は、赤色、緑色、及び青色であり、
前記偏光回転部は、緑色の画像を形成する前記ライトバルブと前記プリズムとの間に設けられていることが好ましい。緑色は視感度が高いため、クロストークを効果的に抑圧することができる。
また、前記第１方向と前記第２方向とは直交することがクロストークを低減する観点から好ましい。
本発明に係る立体視用電子機器は、上述した投射型表示装置と、開放時に偏光軸が第１方向の光を透過し遮蔽時に光を遮蔽する右眼用シャッターおよび開放時に偏光軸が第２方向の光を透過し遮蔽時に光を遮蔽する左眼用シャッターを備える立体視用メガネと、を備えることを特徴とする。この発明によれば、光量を確保しつつ、クロストークを低減することが可能となる。
本発明の一態様の立体視用メガネは、開放時に偏光軸が第１方向の光を透過し遮蔽時に光を遮蔽する右眼用シャッターと、開放時に偏光軸が第２方向の光を透過し遮蔽時に光を遮蔽する左眼用シャッターと、を備えることを特徴とする。
【手続補正書】
【提出日】平成25年12月13日(2013.12.13)
【手続補正１】
【補正対象書類名】特許請求の範囲
【補正対象項目名】全文
【補正方法】変更
【補正の内容】
【特許請求の範囲】
【請求項１】
関連マーキングデバイスで用いる平面加工構造であって、
関連マーキングデバイスの流体処理構造と統合されるように構成された基板と、
前記関連マーキングデバイスの駆動エレクトロニクスと統合されるように構成された自揚スプリングフィンガーであって、前記基板に取り付けられた非上昇アンカー部分および前記基板から離れるように延伸する剥離部分を有し、前記剥離部分が、近端および遠端を有し、前記遠端が、前記関連マーキングデバイスのマーキング流体容器からマーキング表面に向けてのマーキング流体の静電抽出を促す作用をする静電場集中器として機能する先端を含む、自揚スプリングフィンガーと
を含む平面加工構造。
【請求項２】
前記自揚スプリングフィンガーが、内部組み込み応力勾配のある金属を含む請求項１に記載の平面加工構造。
【請求項３】
前記自揚スプリングフィンガーが、内部組み込み応力勾配のある部分を含む請求項１に記載の平面加工構造。
【請求項４】
前記自揚スプリングフィンガーの前記アンカー部分にアンカーパッドをさらに含む請求項１に記載の平面加工構造。
【請求項５】
前記自揚スプリングフィンガーが、内部組み込みでない応力勾配金属と、内部組み込み応力勾配を有する被覆層部分とを備える、請求項４に記載の平面加工構造。
【請求項６】
前記先端が、円形、三角形、四角形、矩形、平行四辺形、台形、菱形、八角形、五角形、六角形、およびこれらの組み合わせなどの凸形状と、万年筆において例示される凹構造とからなる図形群から選択される形状を有する、請求項１に記載の平面加工構造。
【請求項７】
前記自揚スプリングフィンガーが、内部応力を有するように製造され、その内部応力において、前記基板に最も近い部分の応力は圧縮応力であり、前記基板から離れた部分の応力は引張応力であることによって、前記剥離部分が前記基板に固定されない状態では、前記剥離部分は前記基板から離れるように屈曲する、請求項１に記載の平面加工構造。
【請求項８】
前記自揚スプリングフィンガーの前記剥離部分の前記遠端における前記先端が、マーキング流体の静電抽出との関連において、凝集した正帯電の顔料粒子の毛細管定義を促す作用をするように成形されている、請求項１に記載の平面加工構造。
【請求項９】
製造時に前記自揚スプリングフィンガーを弛緩状態に変換し、前記剥離部分を前記基板から剥離した状態にすることで、前記剥離部分の前記先端が前記基板から離れるように延伸する、請求項１に記載の平面加工構造。
【手続補正書】
【提出日】平成26年10月17日(2014.10.17)
【手続補正１】
【補正対象書類名】特許請求の範囲
【補正対象項目名】請求項１
【補正方法】変更
【補正の内容】
【請求項１】
グルコース単位あたりのメトキシル基の平均置換度が１．０〜１．６であり、グルコース単位あたりのヒドロキシプロポキシル基の平均置換度（Ｃ）が０．２〜０．３であるヒドロキシプロピルメチルセルロースであって、ヒドロキシプロポキシル基により置換された水酸基がないグルコース単位の６位炭素上の水酸基に直接置換しているメトキシル基の置換度（Ａ）をグルコース単位あたりのメトキシル基の置換度（Ｂ）で除した値（Ａ／Ｂ）が０．３０５以上であるヒドロキシプロピルメチルセルロース。 
【手続補正２】
【補正対象書類名】明細書
【補正対象項目名】発明の名称
【補正方法】変更
【補正の内容】
【発明の名称】高い熱ゲル化強度を有するヒドロキシプロピルメチルセルロース及びその製造方法
【手続補正３】
【補正対象書類名】明細書
【補正対象項目名】０００１
【補正方法】変更
【補正の内容】
【０００１】
本発明は、高い熱ゲル強度を有するヒドロキシプロピルメチルセルロース及びその製造方法に関する。 
【手続補正４】
【補正対象書類名】明細書
【補正対象項目名】０００７
【補正方法】変更
【補正の内容】
【０００７】
本発明は、上記事情に鑑みなされたものであり、熱ゲル化温度及び熱ゲル強度の高いヒドロキシプロピルメチルセルロース及びその製造方法を提供する。
【手続補正５】
【補正対象書類名】明細書
【補正対象項目名】００２６
【補正方法】変更
【補正の内容】
【００２６】
以下、実施例、参考例及び比較例を挙げて本発明を更に具体的に説明するが、本発明はこれらの実施例に限定されるものではない。
［実施例１］
木材由来の日本製紙社製の高純度溶解パルプをローラーミルにより粉砕し、目開き６００μｍの篩を通過させ、栗本製作所製の２軸混練機ＫＲＣニーダーＳ１型（パドル径２５ｍｍ、外径２５５ｍｍ、Ｌ／Ｄ＝１０．２、内容積０．１２リットル、回転数１００ｒｐｍ）に１０ｇ／分で定量供給し、同時に４９質量％水酸化ナトリウム溶液をパルプ供給口に設けた注入口より１３．７ｇ／分で定量供給しセルロースにアルカリ水溶液を付加したアルカリセルロースを得た。約３０分間の連続運転により得られたアルカリセルロースのうち、５６１ｇ（セルロース分２３０ｇ）をプロシェア型内部攪拌羽つきの圧力容器に仕込み、−９７ｋＰａまで減圧後、窒素を封入して大気圧まで戻した。更に、−９７ｋＰａまで再減圧した。
次に、加圧ポンプを用いて塩化メチル２１０ｇを３０分間で反応機に仕込んだ。塩化メチル仕込み開始から１０分後に加圧ポンプを用いて酸化プロピレンの反応機への仕込みを開始した。酸化プロピレンは９５ｇを５０分間で反応機に仕込んだ。反応機の内温は５０〜８０℃からスタートし０．５時間後に５０〜８０℃の範囲、１時間後に５５〜９０℃の範囲、１．５時間後に６５〜１１０℃の範囲、２時間後に８０〜１１０℃の範囲になるよう調節されエーテル化反応を完結させた。サンプリングのために同じ条件で別途行った実験では、酸化プロピレン仕込み開始時点の塩化メチルの反応率は５％だった。
塩化メチル仕込み開始から４０分後の時点において、塩化メチルの反応率は３０％、酸化プロピレンの反応率は２０％だった。塩化メチル仕込み開始から６０分後の時点において、塩化メチルの反応率は５０％、酸化プロピレンの反応率は４８％だった。塩化メチル／酸化プロピレン仕込み速度比は５．５０だった。
反応物を９５℃以上の熱水にて洗浄し、乾燥して小型ウィリーミルにて乾燥した。第１５改正日本薬局方記載のヒプロメロース（ヒドロキシプロピルメチルセルロース）の置換度分析方法により分析し、メトキシル基の平均置換度１．４４、ヒドロキシプロポキシル基の平均置換度０．２４のヒドロキシプロピルメチルセルロースを得た。ヒドロキシプロポキシル基の平均置換度（Ｃ）を反応に供したヒドロキシプロピルエーテル化剤のセルロースのグルコース単位あたりのモル数（Ｄ）で除した値（Ｃ／Ｄ）は、０．２７であった。
得られたヒドロキシプロピルメチルセルロース５０ｍｇに３質量％の硫酸水溶液２ｍｌを加え１４０℃にて３時間加水分解を行った後、炭酸バリウムを約０．７ｇ加えて中和した。３ｍｌのメタノールを加えて加水分解物を溶解分散し、５００Ｇにて遠心分離した後に、上澄み液を０．４５μｍの目開きのフィルターで濾過した。１．５ｇのＮａＢＨ４を０．２規定のＮａＯＨ水溶液１０ｍｌ中に溶かした溶液１２０μlを加えて、グルコース環の還元を３７〜３８℃にて１時間行い、酢酸１００μlを加えた後、溶媒を乾固させ、ピリジン１ｍｌ、無水酢酸０．５ｍｌを加えて１２０℃にて１．５時間アセチル化した。５００Ｇにて遠心分離した後に、上澄み液を０．４５μｍの目開きのフィルターで濾過した。再び溶媒を除去し、ジエチレングリコールジメチルエーテル１ｍｌに再溶解した後、１５０〜２８０℃に昇温したＪ＆Ｗ社のＤＢ−５カラムに１μｌを通し、ＦＩＤ検出器にて各分解成分の保持時間を測定した。予め各検出ピークについて質量分析装置にて分解成分の構造を同定したピークによる同定と面積比により、ヒドロキシプロポキシル基により置換された水酸基がないグルコース単位の６位炭素上の水酸基に直接置換しているメトキシル基の置換度（Ａ）とセルロースのグルコース単位あたりのメトキシル基の平均置換度（Ｂ）を求め、（Ａ／Ｂ）を算出したところ０．３０７であった。
なお、熱ゲル強度は、得られたヒドロキシプロピルメチルセルロースの１０質量％水溶液を調製した後、５０ｍｌのビーカー内に入れ９０℃のバス内で４０分間熱ゲル化させ、レオテック社製のレオメーターによりゲルの上部より、２０ｍｍ直径の円盤型プランジャーを２ｃｍ／分にて２ｃｍ貫入させた時にかかる最大の力を測定し円盤の面積で除した値により求めた。 
【手続補正６】
【補正対象書類名】明細書
【補正対象項目名】００３３
【補正方法】変更
【補正の内容】
【００３３】
［参考例８］
塩化メチル仕込み開始から３０分後に加圧ポンプを用いて酸化プロピレンの反応機への仕込みを開始し、ヒドロキシプロポキシル基の平均置換度が０．１４になるように酸化プロピレンの総仕込量を調節する以外は、実施例１と同様に行った。結果を表１に示した。 
【手続補正７】
【補正対象書類名】明細書
【補正対象項目名】００３４
【補正方法】変更
【補正の内容】
【００３４】
［参考例９］
アルカリセルロース製造の際の４９質量％水酸化ナトリウム溶液の供給速度を１４．５ｇ／分、プロシェア型内部攪拌羽つきの圧力容器に仕込むアルカリセルロースの量を６０７ｇ（セルロース分２３０ｇ）、塩化メチルの仕込量を２４０ｇ、塩化メチル仕込み開始から３０分後に加圧ポンプを用いて酸化プロピレンの反応機への仕込みを開始し、ヒドロキシプロポキシル基の平均置換度が０．１０になるように酸化プロピレンの総仕込量を調節する以外は、実施例１と同様に行った。結果を表１に示した。 
【手続補正８】
【補正対象書類名】明細書
【補正対象項目名】００３５
【補正方法】変更
【補正の内容】
【００３５】
【表１】
2014111796.tif 000001
【手続補正書】
【提出日】平成26年5月21日(2014.5.21)
【手続補正１】
【補正対象書類名】特許請求の範囲
【補正対象項目名】全文
【補正方法】変更
【補正の内容】
【特許請求の範囲】
【請求項１】
多結晶シリコンロッドを切断または破砕することにより細分化して得られた多結晶シリコン塊の洗浄方法であって、
底面から洗浄水が供給される洗浄槽本体の内部に、複数の開口部を有する内かごを設けておき、
前記開口部よりも目の大きい複数の貫通孔を有する洗浄かごに前記多結晶シリコン塊を収容し、
前記洗浄槽本体に前記洗浄水を連続的に供給してこの洗浄槽本体の上部から前記洗浄水を溢水させながら、前記内かごの内部で前記洗浄かごを上下に揺動させることにより、
前記多結晶シリコン塊の表面からシリコンの微粉末や小片、不純物を離脱させ、これら微粉末や小片、不純物を前記内かごにより回収するとともに、前記洗浄水中に浮遊する前記微粉末や小片、不純物をこの洗浄水とともに前記洗浄槽本体から排出することを特徴とする多結晶シリコン塊の洗浄方法。
【手続補正２】
【補正対象書類名】明細書
【補正対象項目名】００１２
【補正方法】変更
【補正の内容】
【００１２】
本発明の洗浄方法に用いて好適な洗浄装置は、多結晶シリコンロッドを切断または破砕して得られた多結晶シリコン塊の洗浄装置であって、複数の貫通孔が設けられ、前記多結晶シリコン塊を収容する搬送可能な洗浄かごと、前記洗浄かごを収容し、底面に設けられた給水口から連続的に洗浄水が供給される洗浄槽本体と、前記洗浄槽本体内に備えられて前記洗浄かごを収容し、前記洗浄かごの前記貫通孔よりも目が小さい複数の開口部を底面に有する内かごと、前記洗浄かごを保持し、この洗浄かごを前記内かご内で揺動させる揺動装置とを備え、前記洗浄槽本体に、この洗浄槽本体の上部から溢水する前記洗浄水を回収するオーバーフロー部が設けられている。
【手続補正３】
【補正対象書類名】明細書
【補正対象項目名】００１７
【補正方法】変更
【補正の内容】
【００１７】
また本発明は、多結晶シリコンロッドを切断または破砕することにより細分化して得られた多結晶シリコン塊の洗浄方法であって、底面から洗浄水が供給される洗浄槽本体の内部に、複数の開口部を有する内かごを設けておき、前記開口部よりも目の大きい複数の貫通孔を有する洗浄かごに前記多結晶シリコン塊を収容し、前記洗浄槽本体に前記洗浄水を連続的に供給してこの洗浄槽本体の上部から前記洗浄水を溢水させながら、前記内かごの内部で前記洗浄かごを上下に揺動させることにより、前記多結晶シリコン塊の表面からシリコンの微粉末や小片、不純物を離脱させ、これら微粉末や小片、不純物を前記内かごにより回収するとともに、前記洗浄水中に浮遊する前記微粉末や小片、不純物をこの洗浄水とともに前記洗浄槽本体から排出することを特徴とする。なお、揺動洗浄時間内に、洗浄槽本体から揺動によって溢水される量以上に、洗浄槽内に流入する水の量を多くすることが好ましい。そうすることで、洗浄水面上に浮いているシリコンの微粉末や小片、不純物が洗浄かごや多結晶シリコン塊に再付着することを確実に防ぐことができる。
【手続補正４】
【補正対象書類名】明細書
【補正対象項目名】００１８
【補正方法】変更
【補正の内容】
【００１８】
本発明の多結晶シリコンの洗浄方法によれば、迅速にかつ効率よく多結晶シリコン塊を洗浄して効果的にシリコンの微粉末や小片、不純物を除去し、酸洗工程の酸液の劣化を抑えながら、高品質の単結晶シリコンの製造を可能とする高純度多結晶シリコン塊を提供できる。
【手続補正５】
【補正対象書類名】明細書
【補正対象項目名】００２０
【補正方法】変更
【補正の内容】
【００２０】
以下、本発明に係る多結晶シリコン塊の洗浄方法の実施形態について説明する。予め、その洗浄方法に用いて好適な洗浄装置１０の実施形態について説明する。この洗浄装置１０は、多結晶シリコンロッド２０を破砕することにより細分化して得られた多結晶シリコン塊２２（図１参照）を洗浄する装置である。
【手続補正書】
【提出日】平成26年7月4日(2014.7.4)
【手続補正１】
【補正対象書類名】特許請求の範囲
【補正対象項目名】全文
【補正方法】変更
【補正の内容】
【特許請求の範囲】
【請求項１】
治療上有効量の抗ＣＤ２０抗体を含む免疫性血小板減少性紫斑病を治療するための医薬。
【請求項２】
抗ＣＤ２０抗体がリツキシマブを含む、請求項１に記載の医薬。
【請求項３】
治療上有効量の抗ＣＤ２０抗体が２回以上静脈内投与される、請求項１又は２に記載の医薬。
【請求項４】
抗ＣＤ２０抗体の用量が２０ｍｇ／ｍ２から１０００ｍｇ／ｍ２の範囲である、請求項１から３の何れか一項に記載の医薬。
【請求項５】
抗ＣＤ２０抗体の用量が２５０ｍｇ／ｍ２から１０００ｍｇ／ｍ２の範囲である、請求項１から４の何れか一項に記載の医薬。
【請求項６】
さらに、糖質コルチコイドが投与される、請求項１から５の何れか一項に記載の医薬。
【請求項７】
初回用量の後に次回用量で投与され、次回用量の抗ＣＤ２０抗体のｍｇ／ｍ２用量が初回用量での抗ＣＤ２０抗体のｍｇ／ｍ２用量を超える、請求項１から６の何れか一項に記載の医薬。
【請求項８】
初回用量が１日目に投与され、次回用量が８日目、１５日目および２２日目に投与される、請求項１から６の何れか一項に記載の医薬。
【請求項９】
初回用量が１日目に投与され、次回用量が１５日目に投与される、請求項１から６の何れか一項に記載の医薬。
【手続補正書】
【提出日】平成26年4月11日(2014.4.11)
【手続補正１】
【補正対象書類名】特許請求の範囲
【補正対象項目名】全文
【補正方法】変更
【補正の内容】
【特許請求の範囲】
【請求項１】
乾燥植物組織１００重量％に対してノビレチンを０．３〜２．０重量％含有し、ナリルチンを０．４重量％以下含有し、タンゲレチンを０．１〜０．８重量％含有し、ヘスペリジンを０．４〜１２重量％含有し、ノビレチン／ナリルチンの含有重量比が１．０〜２３．０である柑橘類の乾燥植物組織と医薬的に許容される生薬成分とを１：５〜１：１０の重量比率で配合して得られる配合物から水抽出により得られる抽出物を含有する、学習・記憶障害における記憶の獲得能力の増強またはパーキンソン病におけるドーパミン合成能の促進、ドーパミン含量の上昇もしくはドーパミン分泌の促進のための医薬品であって、
柑橘類がシトラス・レチクラータ・ブランコ（ルタシー）、タチバナまたはオオベニミカンである、医薬品。
【請求項２】
柑橘類がタチバナまたはオオベニミカンである、請求項１記載の医薬品。
【請求項３】
記憶の獲得能力の増強のための、請求項１または２のいずれか記載の医薬品。
【請求項４】
ドーパミン合成能の促進、ドーパミン含量の上昇またはドーパミン分泌の促進のための、請求項１または２のいずれか記載の医薬品。
【請求項５】
細粒剤、茶剤、煎剤、カプセル剤、錠剤、顆粒剤、ゼリー剤、散剤、液剤、シロップ剤またはエキス製剤の形態である、請求項１〜４のいずれか記載の医薬品。
【請求項６】
生薬成分がイレイセン、ウヤク、エンゴサク、オウギ、オウゴン、オウバク、オンジ、カッコウ、カッコン、カンキョウ、カンゾウ、キキョウ、キクカ、キジツ、キョウニン、ケイヒ、コウカ、コウブシ、コウボク、ゴシツ、ゴシュユ、ゴミシ、サイコ、サンシシ、ジオウ、シャクヤク、ショウキョウ、ショウマ、シンキク、セッコウ、センキュウ、ゼンコ、ソウジュツ、ソボク、ソヨウ、ダイオウ、タイソウ、ダイフクヒ、タクシャ、チクジョ、チモ、チョウトウコウ、テンマ、テンモンドウ、トウキ、トウニン、ニンジン、バクガ、バクモンドウ、ハンゲ、ビャクシ、ビャクジュツ、ビンロウジ、ブクリョウ、ボウイ、ボウショウ、ボウフウ、ボタンピ、マオウ、モクツウ、モッコウ、ヤクモソウ、リュウタンおよびワキョウカツからなる群から選択される１以上の生薬成分である、請求項１〜５のいずれか記載の医薬品。
【請求項７】
生薬成分がカンゾウ、サイコ、センキュウ、チョウトウコウ、トウキ、ハンゲ、ビャクジュツおよびブクリョウの混合物である、請求項１〜６のいずれか記載の医薬品。
【請求項８】
乾燥植物組織１００重量％に対してノビレチンを０．３〜２．０重量％含有し、ナリルチンを０．４重量％以下含有し、タンゲレチンを０．１〜０．８重量％含有し、ヘスペリジンを０．４〜１２重量％含有し、ノビレチン／ナリルチンの含有重量比が１．０〜２３．０である柑橘類の乾燥植物組織から水抽出により得られる抽出物を含有する食品であって、
柑橘類がシトラス・レチクラータ・ブランコ（ルタシー）、タチバナまたはオオベニミカンである、食品。
【請求項９】
植物組織抽出物１００重量％に対してノビレチンを０．６〜３．０重量％含有し、ナリルチンを０．４重量％以下含有し、タンゲレチンを０．１〜１．０重量％含有し、ヘスペリジンを１．８〜６．０重量％含有し、ノビレチン／ナリルチンの含有重量比が２．０〜１４．０である柑橘類の植物組織抽出物を含有する食品であって、
柑橘類がシトラス・レチクラータ・ブランコ（ルタシー）、タチバナまたはオオベニミカンである、食品。
【手続補正書】
【提出日】平成26年6月10日(2014.6.10)
【手続補正１】
【補正対象書類名】特許請求の範囲
【補正対象項目名】全文
【補正方法】変更
【補正の内容】
【特許請求の範囲】
【請求項１】
眼科手術のためのレーザシステムであって、
レーザパルスのビームを生成するパルスレーザと、
前記ビームを眼の中に方向付けて該眼の中にレーザマークを作成するように構成された光学システムであって、前記眼と直接接触して該眼を所定の位置に保持するように構成された患者インタフェースを備える光学システムと、
前記眼の中に作成された前記レーザマークを監視するイメージングモジュールと、
前記イメージングモジュールと通信し、前記光学システムを制御して、前記レーザマークによって案内された前記眼の中の少なくとも１つの標的に前記パルスレーザからの手術レーザパルスのビームを方向付ける制御モジュールと、
を備えるレーザシステム。
【請求項２】
前記イメージングモジュールは、前記レーザマークの位置および解剖学的な参照情報の位置を監視するように構成されている、
請求項１記載のレーザシステム。
【請求項３】
前記レーザマークは、前記眼が圧平されていない状態のときに配置され、
前記解剖学的な参照情報は、前記眼が圧平された状態のときに判定される、
請求項２記載のレーザシステム。
【請求項４】
前記眼の中の前記水晶体の中に前記レーザマークを作成するように構成されている、
請求項１記載のレーザシステム。
【請求項５】
乱視の治療のためにレーザマークを生成するように構成されている、
請求項１記載のレーザシステム。
【請求項６】
前記制御システムは前記レーザマークによって案内された手術パターンの向きを定めるように構成されている、
請求項５記載のレーザシステム。
【請求項７】
選択された軸に沿って前記眼を整列させるメカニズムを具備し、角膜の上に又は角膜の中に準備マークを作成して、前記選択された軸を示すように構成されている、
請求項１記載のレーザシステム。
【請求項８】
前記制御モジュールは、前記レーザマーク及び準備マークの両方に従って前記光学システムを制御するように構成されている、
請求項７記載のレーザシステム。
【請求項９】
前記パルスレーザは、第１のエネルギーで前記レーザマークを作成するように前記レーザパルスのビームを生成し、且つ、前記第１のエネルギーよりも高い第２のエネルギーで手術切開を作成するように前記手術レーザパルスの前記ビームを生成するように構成されている、
請求項１記載のレーザシステム。
【請求項１０】
前記眼を整列させるメカニズムは、前記準備マークによって案内された前記選択された軸に対して、前記眼の位置を固定するように構成されている、
請求項７記載のレーザシステム。
【手続補正書】
【提出日】平成26年7月15日(2014.7.15)
【手続補正１】
【補正対象書類名】特許請求の範囲
【補正対象項目名】全文
【補正方法】変更
【補正の内容】
【特許請求の範囲】
【請求項１】
被検体に対しＸ線を照射するＸ線照射部と、該Ｘ線照射部より照射されたＸ線を検出するＸ線検出部とを備える撮像手段と、
操作者によって指定された、始点及び終点を含む前記被検体に対する撮像位置の経路を設定する経路設定手段と、
前記撮像手段を移動可能に支持する撮像系移動手段と、
前記撮像手段を前記撮像位置の経路に沿って連続的に移動させるべく前記撮像系移動手段を移動させる移動制御手段と、
を具備することを特徴とするＸ線診断装置。
【請求項２】
前記Ｘ線検出部にて検出されたＸ線に基づいてＸ線画像を生成する画像生成部と、
前記Ｘ線画像を表示する表示部と、を更に有し、
前記Ｘ線画像は前記被検体の冠状動脈を含み、
前記撮像系移動手段は略Ｃ形アームを含み、
前記移動制御手段は、前記経路に沿って、前記撮像位置が３次元的に回転するように前記略Ｃ形アームを移動させ、
前記表示部は、前記略Ｃ形アームが回転しているときに前記Ｘ線画像を順次表示して動画表示を行うことを特徴とする請求項１記載のＸ線診断装置。
【請求項３】
前記経路を記憶する記憶部を更に有し、
前記移動制御手段は、前記記憶部にて記憶された複数の前記経路のうち、前記操作者によって指定された経路に沿って前記撮像系移動手段を移動させることを特徴とする請求項１又は２に記載のＸ線診断装置。
【請求項４】
前記移動制御手段による前記撮像系移動手段の移動を制御する移動制御操作部を更に有し、
前記移動制御手段は、前記操作者によって前記移動制御操作部が操作されたことを契機として、前記撮像系移動手段を移動させることを特徴とする請求項１乃至３のうちいずれか１項に記載のＸ線診断装置。
【請求項５】
前記移動制御手段は、前記移動制御操作部が前記操作者によって操作されている間、前記撮像系移動手段を移動させることを特徴とする請求項４に記載のＸ線診断装置。
【請求項６】
前記移動制御操作部は、フットスイッチであることを特徴とする請求項４又は５に記載のＸ線診断装置。
【請求項７】
前記移動制御操作部は、ハンドスイッチであることを特徴とする請求項４又は５に記載のＸ線診断装置。
【請求項８】
前記移動制御操作部は、ソフトウェアタイプのスイッチであることを特徴とする請求項４又は５に記載のＸ線診断装置。
【請求項９】
前記表示部は、前記経路を表示することを特徴とする請求項２乃至８のうちいずれか一項に記載のＸ線診断装置。
【請求項１０】
被検体に対しＸ線を照射するＸ線照射部と、該Ｘ線照射部より照射されたＸ線を検出するＸ線検出部とを備える撮影手段と、
マップ画像から前記被検体の血管を抽出する抽出手段と、
前記撮影手段を移動可能に支持する撮影系移動手段と、
前記被検体に対する撮影位置を前記抽出された血管に沿って連続的に移動させるべく前記撮影系移動手段を移動させる移動制御手段と、
前記撮影系移動手段の移動中に前記撮影手段により動画像を撮影する撮影制御手段と、
を具備することを特徴とするＸ線診断装置。
【請求項１１】
前記撮影系移動手段は、
前記Ｘ線照射部と前記Ｘ線検出部とを支持する略Ｃ形アームと、
前記略Ｃ形アームを回転自在に支持する支持機構と、
前記略Ｃ形アームの回転を駆動する回転駆動部とを備え、
前記移動制御手段は、
前記マップ画像における血管の分岐部分を抽出し、当該分岐部分に対して略垂直にＸ線投影線が設定されるように前記略Ｃ形アームを回転移動することを特徴とする請求項１０に記載のＸ線診断装置。
【請求項１２】
前記撮影系移動手段は、
前記Ｘ線照射部と前記Ｘ線検出部とを支持する略Ｃ形アームと、
前記略Ｃ形アームを回転自在に支持する支持機構と、
前記略Ｃ形アームの回転を駆動する回転駆動部とを備え、
前記移動制御手段は、
前記マップ画像における心臓の表面に対して略垂直にＸ線投影線が設定されるように前記略Ｃ形アームを回転移動することを特徴とする請求項１０に記載のＸ線診断装置。
【請求項１３】
前記移動制御手段は、前記撮影系移動手段の移動量を、その踏み込み量に応じて制御可能なアクセル型フットスイッチを有することを特徴とする請求項１０に記載のＸ線診断装置。
【請求項１４】
被検体に対しＸ線を照射するＸ線照射部と、該Ｘ線照射部より照射されたＸ線を検出するＸ線検出部とを備える撮影手段と、
前記被検体内における器官に対して解剖学的に割り当てられた血管番号に基づいて前記被検体に対する撮影位置を求める位置演算手段と、
前記撮影位置を記憶する記憶部と、
前記撮影位置を撮影視野に捉えるように前記撮影手段を移動可能に支持する撮影系移動手段と、
前記撮影位置を前記撮影位置に沿って連続的に移動させるべく前記撮影系移動手段を移動させる移動制御手段と、
を具備することを特徴とするＸ線診断装置。
【請求項１５】
前記撮影系移動手段は、
前記Ｘ線照射部と前記Ｘ線検出部とを支持する略Ｃ形アームと、
前記略Ｃ形アームを回転自在に支持する支持機構と、
前記略Ｃ形アームの回転を駆動する回転駆動部とを備え、
前記移動制御手段は、
前記血管番号に対応するボタンを有する操作部と、
押下された前記ボタンに割り当てられた血管番号に基づいて前記撮影位置における前記略Ｃ形アームの回転角度を求め、その結果に基づいて各位置における前記略Ｃ形アームの回転角度を制御することを特徴とする請求項１４に記載のＸ線診断装置。
【請求項１６】
前記移動制御手段は、
複数個のボタンが押下された場合に、各ボタンに割り当てられた血管番号に対応する血管の撮影角度の重心角度を撮影方向とすることを特徴とする請求項１５に記載のＸ線診断装置。
【請求項１７】
前記撮影方向は、前記血管と、この血管の属する器官の中心とを結ぶ直線方向であることを特徴とする請求項１６に記載のＸ線診断装置。
【請求項１８】
前記移動制御手段は、
複数個のボタンが連続的に押下された場合に、各ボタンに割り当てられた血管番号に対応する血管の撮影角度を順次満たすように前記撮影手段の経路を特定することを特徴とする請求項１５に記載のＸ線診断装置。
【請求項１９】
前記撮影方向は、前記血管と、この血管の属する器官の中心とを結ぶ直線方向であることを特徴とする請求項１８に記載のＸ線診断装置。
【手続補正書】
【提出日】平成26年6月5日(2014.6.5)
【手続補正１】
【補正対象書類名】特許請求の範囲
【補正対象項目名】全文
【補正方法】変更
【補正の内容】
【特許請求の範囲】
【請求項１】
特定条件の成立にもとづいて遊技者にとって有利な特定遊技状態に移行させる遊技機であって、
前記特定遊技状態において開放状態に変化可能な可変入賞装置と、
所定の条件が成立したときに、初期化処理を実行する初期化手段と、
前記初期化手段により前記初期化処理が実行されたことを示す初期化報知を実行する初期化報知手段と、
遊技に関する異常を報知する異常報知を実行する異常報知手段とを備え、
前記異常報知手段は、前記異常報知として、少なくとも、遊技機に設けられた扉体が開放状態であることを報知する扉開放異常報知と、前記特定遊技状態以外の遊技状態において前記可変入賞装置に遊技媒体が進入したことを報知する異常入賞報知とを実行可能であり、
前記異常報知手段は、前記初期化報知の実行中である場合には前記異常入賞報知を実行せず、
前記初期化報知と前記異常報知とに優先順位が設定されている
ことを特徴とする遊技機。
【請求項２】
遊技者により操作可能な操作手段と、
前記操作手段による操作にもとづいて演出を選択可能な演出選択手段とを備えた
請求項１記載の遊技機。
【請求項３】
遊技の進行を制御する遊技制御手段と、
演出の実行を制御する演出制御手段とを備え、
前記遊技制御手段は、情報を出力可能であり、
前記演出制御手段は、前記遊技制御手段が出力する情報にもとづいて演出を実行可能である
請求項１または請求項２記載の遊技機。
【手続補正２】
【補正対象書類名】明細書
【補正対象項目名】０００１
【補正方法】変更
【補正の内容】
【０００１】
本発明は、特定条件の成立にもとづいて遊技者にとって有利な特定遊技状態に移行させる遊技機に関する。
【手続補正３】
【補正対象書類名】明細書
【補正対象項目名】０００６
【補正方法】変更
【補正の内容】
【０００６】
本発明は、初期化報知が認識しにくくなるような事態が生じることを防止できるようにすることを目的とする。
【手続補正４】
【補正対象書類名】明細書
【補正対象項目名】０００７
【補正方法】変更
【補正の内容】
【０００７】
本発明による遊技機は、特定条件の成立にもとづいて遊技者にとって有利な特定遊技状態に移行させる遊技機であって、特定遊技状態において開放状態に変化可能な可変入賞装置と、所定の条件が成立したときに、初期化処理を実行する初期化手段と、初期化手段により初期化処理が実行されたことを示す初期化報知を実行する初期化報知手段と、遊技に関する異常を報知する異常報知を実行する異常報知手段とを備え、異常報知手段は、異常報知として、少なくとも、遊技機に設けられた扉体が開放状態であることを報知する扉開放異常報知と、特定遊技状態以外の遊技状態において可変入賞装置に遊技媒体が進入したことを報知する異常入賞報知とを実行可能であり、異常報知手段は、初期化報知の実行中である場合には異常入賞報知を実行せず、初期化報知と異常報知とに優先順位が設定されていることを特徴とする。
【手続補正５】
【補正対象書類名】明細書
【補正対象項目名】０００８
【補正方法】変更
【補正の内容】
【０００８】
請求項１記載の発明によれば、初期化報知が認識しにくくなるような事態が生じることを防止できる。
【手続補正書】
【提出日】平成26年6月24日(2014.6.24)
【手続補正１】
【補正対象書類名】特許請求の範囲
【補正対象項目名】全文
【補正方法】変更
【補正の内容】
【特許請求の範囲】
【請求項１】
遊技媒体を用いて所定の遊技を行ない、遊技の結果に応じて所定の入賞を発生させて該入賞に対応する前記遊技媒体を払出すことが可能な遊技機において、
直流モータを有し該直流モータが駆動することにより前記遊技媒体を払出す払出手段と、
前記入賞の発生に応じて払出制御信号を第１の電圧レベルから第２の電圧レベルに変化させて維持し、前記払出手段による前記遊技媒体の払出が終了したときに前記払出制御信号を前記第２の電圧レベルから前記第１の電圧レベルに変化させて維持する払出制御信号制御手段と、
前記直流モータと電気的に接続され、前記払出制御信号の電圧レベルに基づいて前記払出手段に払出を行なわせる払出制御回路とを備え、
前記払出制御回路は、
前記払出制御信号が前記第２の電圧レベルに変化したときに、駆動用電源を前記直流モータの一方入力端子に供給して該直流モータを駆動させ、
前記払出制御信号が前記第１の電圧レベルに変化したときに、前記直流モータの一方入力端子と他方入力端子とを電気的に接続させることにより前記直流モータの回転を停止させることを特徴とする、遊技機。
【手続補正２】
【補正対象書類名】明細書
【補正対象項目名】発明の名称
【補正方法】変更
【補正の内容】
【発明の名称】遊技機
【手続補正３】
【補正対象書類名】明細書
【補正対象項目名】０００１
【補正方法】変更
【補正の内容】
【０００１】
本発明は、たとえば、コイン遊技機等の遊技機に関する。詳しくは、遊技媒体を用いて所定の遊技を行ない、遊技の結果に応じて所定の入賞を発生させて該入賞に対応する前記遊技媒体を払出すことが可能な遊技機に関する。
【手続補正４】
【補正対象書類名】明細書
【補正対象項目名】０００６
【補正方法】変更
【補正の内容】
【０００６】
（１）  遊技媒体（メダル、クレジット、遊技球等）を用いて所定の遊技を行ない、遊技の結果（図柄の組合せ）に応じて所定の入賞（スイカ、ベル、チェリー）を発生させて該入賞に対応する前記遊技媒体を払出すことが可能な遊技機（スロットマシン１、パチンコ遊技機等）において、
直流モータ（ホッパーモータ８２）を有し該直流モータが駆動することにより前記遊技媒体を払出す払出手段（ホッパー８０）と、
前記入賞の発生に応じて払出制御信号（ホッパー制御信号出力状態特定用電源がフォトカプラＰＣ１に供給されて印加される電圧）を第１の電圧レベル（たとえば、０Ｖ）から第２の電圧レベル（たとえば、１２Ｖが抵抗Ｒ１で減圧された電圧）に変化させて維持し、前記払出手段による前記遊技媒体の払出が終了したときに前記払出制御信号を前記第２の電圧レベルから前記第１の電圧レベルに変化させて維持する払出制御信号制御手段（ステップＳ１００１〜Ｓ１００２ｋ）と、
前記直流モータと電気的に接続され、前記払出制御信号の電圧レベルに基づいて前記払出手段に払出を行なわせる払出制御回路（ホッパー制御回路１００ａ）とを備え、
前記払出制御回路は、
前記払出制御信号が前記第２の電圧レベルに変化したときに、駆動用電源を前記直流モータの一方入力端子に供給して該直流モータを駆動させ（トランジスタＴＲ１をＯＮに制御する）、
前記払出制御信号が前記第１の電圧レベルに変化したときに、前記直流モータの一方入力端子と他方入力端子とを電気的に接続させる（トランジスタＴＲ２をＯＮに制御する）ことにより前記直流モータの回転を停止させる。
【手続補正５】
【補正対象書類名】明細書
【補正対象項目名】０００７
【補正方法】変更
【補正の内容】
【０００７】
このような構成によれば、払出制御信号が第２の電圧レベルに変化したときに直流モータを駆動させ、払出制御信号が第１の電圧レベルに変化したときに直流モータの一方入力端子と他方入力端子とを電気的に接続させる。すなわち、直流モータ駆動中に払出制御信号が第１の電圧レベルに変化したときに、直流モータの一方入力端子と他方入力端子とが電気的に接続されることにより、直流モータの自己発電電力によって逆回転の力が作用することにより回転負荷が大きくなるため、直流モータの一方入力端子と他方入力端子とが電気的に接続されないものと比較し、短い期間で直流モータの回転を停止させることができる。これにより、直流モータの慣性により回転して、過剰に遊技媒体が払出されることを防止することができる。
【手続補正６】
【補正対象書類名】明細書
【補正対象項目名】０２４０
【補正方法】変更
【補正の内容】
【０２４０】
抽選処理が終了すると、次にリール回転処理が行なわれる（ステップＳ４０４）。リール回転処理では、前回のゲームでのリール３Ｌ、３Ｃ、３Ｒの回転開始から１ゲームタイマが計時する時間が所定時間（たとえば、４．１秒）経過していることを条件に、リールモータ３ＭＬ、３ＭＣ、３ＭＲを駆動させ、左、中、右の全てのリール３Ｌ、３Ｃ、３Ｒを回転開始させる。リール３Ｌ、３Ｃ、３Ｒの回転開始から所定の条件（回転速度が一定速度に達した後、リールセンサ３ＳＬ、３ＳＣ、３ＳＲにより基準位置を検出すること）が成立すると、停止ボタン１２Ｌ、１２Ｃ、１２Ｒを操作有効とする。その後、停止ボタン１２Ｌ、１２Ｃ、１２Ｒが遊技者によって操作されることにより、当選フラグの設定状況に応じてリールモータ３ＭＬ、３ＭＣ、３ＭＲを駆動停止させ、リール３Ｌ、３Ｃ、３Ｒの回転を停止させる。リール３Ｌ、３Ｃ、３Ｒの回転開始時、および回転停止時に、それぞれリール回転コマンド、リール停止コマンドが演出制御基板１０２に送信される。なお、リール回転処理の詳細については後述する。
【手続補正書】
【提出日】平成26年7月2日(2014.7.2)
【手続補正１】
【補正対象書類名】特許請求の範囲
【補正対象項目名】全文
【補正方法】変更
【補正の内容】
【特許請求の範囲】
【請求項１】
遊技機に対応して設けられ、
遊技媒体を受け入れて計数する計数手段を有する計数部と、
前記計数手段による計数遊技媒体数を記憶する計数値記憶手段と、該計数値記憶手段により記憶している計数遊技媒体数の範囲内で遊技媒体を払い出すための払出処理の実行を要求する払出要求を送信する払出要求送信手段と、を有し、制御部識別情報により個々に識別される制御部と、
前記払出要求の受信に基づいて、前記払出処理を行う払出処理手段を有する払出制御部と、を備え、
前記払出制御部と前記制御部とが通信可能かつ該払出制御部及び制御部の少なくとも一方が着脱可能な遊技用装置であって、
前記制御部は、前記払出要求の送信に伴って、自らが記憶している第１払出処理情報を更新して記憶する第１払出処理情報記憶手段をさらに有し、
前記払出制御部は、
現在装着されている前記制御部の制御部識別情報を記憶する制御部識別情報記憶手段と、
前記払出要求の受信に基づいて、自らが記憶している第２払出処理情報を更新して記憶する第２払出処理情報記憶手段と、
前記制御部との通信が成立したことに基づいて、前記制御部識別情報記憶手段により記憶している制御部識別情報と、前記第２払出処理情報記憶手段により記憶している第２払出処理情報とを含む払出接続情報を前記制御部に対して送信する払出接続情報送信手段と、をさらに有し、
前記制御部は、前記払出接続情報の受信に基づき、該払出接続情報に含まれる制御部識別情報と自己の制御部識別情報とが一致しないこと、又は、該払出接続情報に含まれる制御部識別情報と自己の制御部識別情報とが一致すると共に該払出接続情報に含まれる第２払出処理情報と前記第１払出処理情報記憶手段により記憶している第１払出処理情報とが一致しないことを条件として、前記払出処理の実行を要求する払出リカバリ要求を前記払出制御部に対して送信する払出リカバリ要求送信手段をさらに有することを特徴とする遊技用装置。
【手続補正２】
【補正対象書類名】明細書
【補正対象項目名】０００７
【補正方法】変更
【補正の内容】
【０００７】
まず手段１に係る発明は、
遊技機（パチンコ機１０）に対応して設けられ、
遊技媒体（パチンコ玉）を受け入れて計数する計数手段（玉カウンタ３５）を有する計数部（３０）と、
前記計数手段による計数遊技媒体数（計数値）を記憶する計数値記憶手段（記憶テーブル）と、該計数値記憶手段により記憶している計数遊技媒体数の範囲内で遊技媒体を払い出すための払出処理の実行を要求する払出要求（Ｓ８０２の動作指示Ｇ）を送信する払出要求送信手段（玉貸発券制御部２２）と、を有し、制御部識別情報（発券部ＩＤ）により個々に識別される制御部（玉貸発券処理部２０）と、
前記払出要求の受信に基づいて、前記払出処理を行う払出処理手段（計数制御部３１）を有する払出制御部（計数部３０）と、を備え、
前記払出制御部と前記制御部とが通信可能かつ該払出制御部及び制御部の少なくとも一方が着脱可能な遊技用装置（各台計数ユニット５０）であって、
前記制御部は、前記払出要求の送信に伴って、自らが記憶している第１払出処理情報（払出通番）を更新して記憶する第１払出処理情報記憶手段（Ｓ８０１の処理を行う玉貸発券制御部２２及び記憶テーブル）をさらに有し、
前記払出制御部は、
現在装着されている前記制御部の制御部識別情報を記憶する制御部識別情報記憶手段（記憶テーブル）と、
前記払出要求の受信に基づいて、自らが記憶している第２払出処理情報（払出通番）を更新して記憶する第２払出処理情報記憶手段（Ｓ８０３の処理を行う計数制御部３１及び記憶テーブル）と、
前記制御部との通信が成立したこと（Ｓ１０００で電源が投入されたこと）に基づいて、前記制御部識別情報記憶手段により記憶している制御部識別情報と、前記第２払出処理情報記憶手段により記憶している第２払出処理情報とを含む払出接続情報（Ｓ１００２の接続機器確認応答）を前記制御部に対して送信する払出接続情報送信手段（計数制御部３１）と、をさらに有し、
前記制御部は、前記払出接続情報の受信に基づき、該払出接続情報に含まれる制御部識別情報と自己の制御部識別情報とが一致しないこと（Ｓ１０１０でＮＯ）、又は、該払出接続情報に含まれる制御部識別情報と自己の制御部識別情報とが一致する（Ｓ１０１０でＹＥＳ）と共に該払出接続情報に含まれる第２払出処理情報と前記第１払出処理情報記憶手段により記憶している第１払出処理情報とが一致しないこと（Ｓ１０１２でＮＯ）を条件として、前記払出処理の実行を要求する払出リカバリ要求（Ｓ１０４１の起動指示Ｂ）を前記払出制御部に対して送信する払出リカバリ要求送信手段（玉貸発券制御部２２）をさらに有することを特徴とする遊技用装置である。
【手続補正書】
【提出日】平成26年6月18日(2014.6.18)
【手続補正１】
【補正対象書類名】特許請求の範囲
【補正対象項目名】全文
【補正方法】変更
【補正の内容】
【特許請求の範囲】
【請求項１】
遊技媒体が流下可能な遊技領域が形成された遊技盤を備える遊技機であって、
前記遊技盤における前記遊技領域の裏面に取り付けられ、遊技に関連する遊技用部品が組み付けられるユニット部材と、
前記ユニット部材から前記遊技盤側に向けて突設される第１凸部と、
前記ユニット部材における前記第１凸部とは異なる位置から前記遊技盤側に向けて突設される第２凸部と、
前記遊技領域の裏面に前記第１凸部に対応して設けられ、前記第１凸部が挿入可能な大きさを有する第１凹部と、
前記遊技領域の裏面に前記第２凸部に対応して設けられ、前記第２凸部が嵌合可能な大きさを有する第２凹部と、
前記遊技盤が取り付けられる遊技枠と、
を備え、
前記第１凹部の幅寸法と前記第１凸部の幅寸法との差寸法は、前記第２凹部の幅寸法と前記第２凸部の幅寸法との差寸法よりも大きく、
前記遊技盤は、前記ユニット部材を取り付けた状態で前記遊技枠に対し前側から取り付けられる
ことを特徴とする遊技機。
【手続補正２】
【補正対象書類名】明細書
【補正対象項目名】０００７
【補正方法】変更
【補正の内容】
【０００７】
前記課題を解決するために、本発明の請求項１に記載の遊技機は、
遊技媒体（遊技球）が流下可能な遊技領域（７）が形成された遊技盤（６）を備える遊技機（パチンコ遊技機１）であって、
前記遊技盤における前記遊技領域の裏面（スペーサ部材２５０の背面２５０ｂ）に取り付けられ、遊技に関連する遊技用部品（装飾体３０１、演出表示装置９及び演出制御基板８０等を含む変動表示ユニット４９等）が組み付けられるユニット部材（カバー体３０２）と、
前記ユニット部材（フランジ片３１０の前面）から前記遊技盤側に向けて突設される第１凸部（位置決め用ボス３１２ａ，３１２ｄ）と、
前記ユニット部材（フランジ片３１０の前面）における前記第１凸部とは異なる位置から前記遊技盤側に向けて突設される第２凸部（位置決め用ボス３１２ｂ，３１２ｃ）と、
前記遊技領域の裏面に前記第１凸部に対応して設けられ、前記第１凸部が挿入可能な大きさを有する第１凹部（カバー体用位置決め穴２６５ａ，２６５ｄ）と、
前記遊技領域の裏面に前記第２凸部に対応して設けられ、前記第２凸部が嵌合可能な大きさを有する第２凹部（カバー体用位置決め穴２６５ｂ，２６５ｃ）と、
前記遊技盤が取り付けられる遊技枠と、
を備え、
前記第１凹部の幅寸法（内径Ｌ１）と前記第１凸部の幅寸法（外径Ｌ５）との差寸法（Ｌ１４）は、前記第２凹部の幅寸法（内径Ｌ２）と前記第２凸部の幅寸法（外径Ｌ５）との差寸法（Ｌ２≒Ｌ５）よりも大きく｛Ｌ１−Ｌ５＞Ｌ２−Ｌ５（図３５参照）｝、
前記遊技盤は、前記ユニット部材を取り付けた状態で前記遊技枠に対し前側から取り付けられる
ことを特徴としている。
この特徴によれば、遊技盤を裏面側に向けた状態で設置し、その上方から第１凸部を第１凹部に挿入し、第２凸部を第２凹部に嵌合することで、遊技盤に対するユニット部材の取り付け位置を決定することができるばかりか、第２凸部及び第２凹部よりも遊び幅寸法が大きい第１凸部を第１凹部に先に挿入すれば、第２凹部に対する第２凸部の嵌合位置が大まかに決定されて嵌合しやすくなるため、ユニット部材が大きい場合や重量がある場合でも、遊技盤に対するユニット部材の取り付け位置の決定を極めて簡単に行うことができる。
尚、前記第１凹部の幅寸法と前記第１凸部の幅寸法との差は、前記第２凹部の幅寸法と前記第２凸部の幅寸法との差よりも大きい、とは、前記第２凹部の幅寸法と前記第２凸部の幅寸法との差は、前記第１凹部の幅寸法と前記第１凸部の幅寸法との差よりも小さい、と同意である。
【手続補正書】
【提出日】平成26年6月18日(2014.6.18)
【手続補正１】
【補正対象書類名】特許請求の範囲
【補正対象項目名】全文
【補正方法】変更
【補正の内容】
【特許請求の範囲】
【請求項１】
遊技媒体が流下可能な遊技領域が形成された遊技盤を備える遊技機であって、
前記遊技盤における前記遊技領域の裏面に取り付けられ、遊技に関連する遊技用部品が組み付けられるユニット部材と、
前記ユニット部材から前記遊技盤側に向けて突設される凸部と、
前記遊技領域の裏面における前記凸部に対応する位置に設けられ、該凸部が嵌合される凹部と、
前記遊技領域の裏面に形成される領域であって前記凹部の面積よりも大きい案内領域と、
前記案内領域を囲むように立設され、前記凸部の高さ寸法よりも短寸の高さ寸法を有する壁部と、
前記遊技盤が取り付けられる遊技枠と、
を備え、
前記案内領域に前記凹部が形成され、
前記遊技盤は、前記ユニット部材が取り付けられた状態で前記遊技枠に対し前側から取り付けられる
ことを特徴とする遊技機。
【手続補正２】
【補正対象書類名】明細書
【補正対象項目名】０００７
【補正方法】変更
【補正の内容】
【０００７】
前記課題を解決するために、本発明の請求項１に記載の遊技機は、
遊技媒体（遊技球）が流下可能な遊技領域（７）が形成された遊技盤（６）を備える遊技機（パチンコ遊技機１）であって、
前記遊技盤における前記遊技領域の裏面（スペーサ部材２５０の背面２５０ｂ）に取り付けられ、遊技に関連する遊技用部品（装飾体３０１、演出表示装置９及び演出制御基板８０等を含む変動表示ユニット４９等）が組み付けられるユニット部材（カバー体３０２）と、
前記ユニット部材（フランジ片３１０の前面）から前記遊技盤側に向けて突設される凸部（位置決め用ボス３１２ａ〜３１２ｄ）と、
前記遊技領域の裏面における前記凸部に対応する位置に設けられ、該凸部が嵌合される凹部（カバー体用位置決め穴２６５ａ〜２６５ｄ）と、
前記遊技領域の裏面に形成される領域であって前記凹部の面積よりも大きい案内領域（案内凹溝２６６ａ〜２６６ｄにおけるカバー体用位置決め穴２６５ａ〜２６５ｄの開口と底面Ｇ１とを含む領域）と、
前記案内領域を囲むように立設され、前記凸部の高さ寸法よりも短寸の高さ寸法を有する壁部（案内凹溝２６６ａ〜２６６ｄの内側面Ｇ２）と、
前記遊技盤が取り付けられる遊技枠と、
を備え、
前記案内領域に前記凹部が形成され（図３０〜図３３参照）、
前記遊技盤は、前記ユニット部材が取り付けられた状態で前記遊技枠に対し前側から取り付けられる
ことを特徴としている。
この特徴によれば、遊技盤を裏面側に向けた状態で設置し、その上方からユニット部材の凸部を凹部に嵌合することで、遊技盤に対するユニット部材の取り付け位置を簡単に決定することができるばかりか、凸部を凹部に嵌合する際には、凹部から周辺に広がる案内領域上に載置した凸部を凹部に向けてスライド移動させればよく、その際に壁部により凸部が案内領域外に逸脱して凹部から離れることが防止されるため、ユニット部材が大きい場合や重量がある場合でも、凸部の凹部への嵌合作業を極めて簡単に行うことができる。